(57)【要約】【課題】従来の歯科用無影灯に対して補助の無影灯を追加装備し、従来の無影灯に比べて照明光量を増し、同時に、照明範囲を広くして、最近の歯科治療に適合した歯科用無影灯を提供する。【解決手段】無影灯本体１０と、該無影灯本体１０の背面側に装備され、該無影灯本体１０からの照射光と協働して被照射箇所をより明るくかつ広い面積にわたって照明する補助無影灯２０（２０１〜２０４）とから成り、各補助無影灯２０１〜２０４は、光の照射方向を調節可能である。【選択図】図１
2011041592.tif 000002
【特許請求の範囲】
【請求項１】
無影灯本体と、該無影灯本体の背面側に配設され、該無影灯本体からの照射光と協働して被照射箇所をより明るくかつ広い面積にわたって照明する補助無影灯とから成り、前記補助無影灯は、光の照射方向を調節可能であることを特徴とする歯科用無影灯。
【請求項２】
前記補助無影灯は、前記無影灯本体の背面側に立設される円筒支柱に回動自在に配設されたアームの先端に回動自在に設けられていることを特徴とする請求項１に記載の歯科用無影灯。
【請求項３】
前記円筒支柱に回動自在に配設された前記アームを２本有し、各アームの先端に前記補助無影灯が回動自在に設けられ、これらが協働して同一の被照射箇所をより明るく照明するようにしたことを特徴とする請求項２に記載の歯科用無影灯。
【請求項４】
前記補助無影灯は、前記無影灯本体に着脱自在に装着されるものであることを特徴とする請求項１乃至３のいずれかに記載の歯科用無影灯。
【請求項５】
歯科用無影灯本体の背面側に着脱自在に装着され、前記無影灯本体からの照射光と協働して被照射箇所を照明する補助無影灯。
【発明の詳細な説明】
【技術分野】
【０００１】
本発明は、歯科治療において、患者の口腔内をより効果的に照明可能とした歯科用無影灯に関し、より詳細には、従来の歯科用無影灯と一体的に組合されて或いは従来の歯科用無影灯に着脱自在に装着されて使用される補助無影灯を具備し、例えば、インプラント治療時の照明効果を高めて確実な治療を行えるようにし、或いは、より明るい無影照明を求める術者に対して後付けオプションとして、従来の無影灯に装着可能とした補助無影灯に関する。
【背景技術】
【０００２】
図３は、本発明が適用される一例としての無影灯を備えた歯科治療ユニットの一例を説明するための要部概略構成図で、該歯科治療ユニットは、治療椅子１，ワークテーブル２，スピットン３，術者用インスツルメントホルダ４，アシスタントインスツルメントホルダ５，ハンドピース（インスツルメント）６，インスツルメントホース７、無影灯支持用アーム８，９、無影灯１０等から成り、インスツルメントホルダ４には、歯科治療において使用する種々のハンドピース、例えば、エアータービン、マイクロエンジン、超音波スケーラ、マルチシリンジ等のハンドピース６が収納されており、周知のように、歯科治療に当り、患者は椅子１に座り、頭を安頭台に固定して治療を受ける。術者は治療椅子１を上下動，倒起動，傾斜動等させて、患者を治療しやすい姿勢にして治療を行うが、その際、術者は、無影灯１０を用いて治療作業開始前に患者の口腔内を照明して被治療部位の観察を行ったり、治療作業中に作業手元を照明したり、治療作業終了後に治療後の状態を確認する等している。
【０００３】
一方、最近の歯科治療においては、欠如歯部の軟組織の下に、維持安定装置（フィクスチャー）の一部または全部を埋め込み、その上に義歯をはめ込んで、維持と安定を図るインプラント（人工歯根）治療が盛んに行われるようになっている。このインプラント治療においては、フィクスチャーを歯槽骨（軟骨）に埋め込むためのインプラント埋込ホール（穴）の形成等を行うが、このホールの形成は、歯顎（軟組織）の奥部まで行われ、また、多数本の義歯を少数本の共通フィクスチャーで固定するような場合には、治療範囲が（１本１本治療する場合に比して）広範囲にわたるため、従来の無影灯では光量が不足したり、照明範囲が狭かったりして、歯科治療を効果的に行うことができなかった。
【先行技術文献】
【特許文献】
【０００４】
【特許文献１】特開２００７−１３０３３３号公報
【発明の概要】
【発明が解決しようとする課題】
【０００５】
本発明は、上述のごとき実情に鑑みてなされたもので、従来の歯科用無影灯に対して補助の無影灯を追加し、従来の無影灯に比べて照明光量を増し、同時に、照明範囲を広くして、最近の歯科治療に適合した歯科用無影灯を提供することを目的としてなされたものである。
【課題を解決するための手段】
【０００６】
請求項１の発明は、無影灯本体と、該無影灯本体の背面側に配設され、該無影灯本体からの照射光と協働して被照射箇所をより明るくかつ広い面積にわたって照明する補助無影灯とから成り、前記補助無影灯は、光の照射方向を調節可能であることを特徴としたものである。
【０００７】
請求項２の発明は、請求項１の発明において、前記補助無影灯は、前記無影灯本体の背面側に立設される円筒支柱に回動自在に配設されたアームの先端に回動自在に設けられていることを特徴としたものである。
【０００８】
請求項３の発明は、請求項２の発明において、前記円筒支柱に回動自在に配設された前記アームを２本有し、各アームの先端に前記補助無影灯が回動自在に設けられ、これらが協働して同一の被照射箇所をより明るく照明するようにしたことを特徴としたものである。
【０００９】
請求項４の発明は、請求項１乃至３の発明において、前記補助無影灯は、前記無影灯本体に着脱自在に装着されるものであることを特徴としたものである。
【００１０】
請求項５の発明は、歯科用無影灯本体の背面側に着脱自在に装着され、前記無影灯本体からの照射光と協働して被照射箇所を照明する補助無影灯である。
【発明の効果】
【００１１】
本発明によると、従来の無影灯（無影灯本体のみ）に比し、所望の箇所をより明るくし、かつ、広範囲に亘って照明することができ、最近のインプラント治療のような、より明るく、より広い範囲の照明を必要とする要請に対応することができる。
【図面の簡単な説明】
【００１２】
【図１】本発明による歯科用無影灯の一実施例を説明するための要部斜視図である。
【図２】本発明による歯科用無影灯の一断面構成を示す図である。
【図３】従来の無影灯の一使用形態を説明するための図である。
【発明を実施するための形態】
【００１３】
図１は、本発明による歯科用無影灯の一実施例を説明するための要部概略構成図で、図中、１０は歯科用無影灯本体（図３に示した無影灯１０に相当）、２０は無影灯本体１０に追加装備された補助無影灯で、無影灯本体１０は、図示例のものに限ることなく、従来より使用されている大方の無影灯が適用可能である。この補助無影灯２０は、円筒状支柱２１を介して無影灯本体１０と一体的に構成され、或いは、該円筒状支柱２１によって既存の無影灯本体１０に対して着脱自在に装着（追加）可能となっている。なお、この補助無影灯２０の取り付けは、図示のように、無影灯本体１０の背面側に立設された円筒状支柱２１を回動不可に挿入するようにしてもよいが、その他に、無影灯本体１０の背面側に補助無影灯２０の円筒状支柱２１が挿入される穴を設け、該穴に補助無影灯２０の円筒状支柱２１を回動不可に挿入したり、補助無影灯２０の円筒状支柱２１の下端部にタランジを設け、該タランジ部に設けた孔を通して、無影灯本体１０側に設けられたネジ穴にネジ止め固定する等、任意所望の手段によって、補助無影灯２０の円筒支柱を無影灯本体１０の背面側に固定することができる。
【００１４】
補助無影灯２０は、例えば、ＬＥＤを光源とする無影灯光源部２０１〜２０４を有し、光源部２０１と２０２はアーム２２１によって１８０°離れた位置に配設され、光源部２０３と２０４はアーム２２２によって１８０°離れた位置に配設され、これらアーム２２１、２２２は円筒状支柱２１のまわりに回動可能に取り付けられている。これらアーム２２１、２２２は、少なくとも無影灯本体１０の上下方向（短辺方向）の長さ（Ｌ）より長く構成され、これら補助無影灯２０１〜２０４からの光が、無影灯本体１０によって遮断されることなく、無影灯本体１０からの光と同方向の前方に照射されるように構成されている。
【００１５】
無影灯全体１０の位置及び無影灯本体１０の光照射方向は、従来と同様、無影灯本体１０に設けられている把手１３を持って軸１１を中心に上下方向に回動操作することにより上下方向の調整をし、アーム８，９（図３参照）を左右方向に回動操作することによって左右方向の調整をする。１２は無影灯本体支持アーム８，９内を通して配線された電源線で、該電源線１２を通して伝達されてくる電源によって、無影灯本体１０の光源を点灯し、更には、補助無影灯２０１〜２０４をも点灯可能にしている。
【００１６】
補助無影灯２０１〜２０４は、アーム２２１、２２２を円筒状支柱２１のまわりに回転することによって照射方向を変え、更には、所望の方向からの光強度を変えることができる。更には、各光源部２０１〜２０４をそれぞれアーム２２１、２２２の先端部に対して回動可能にしておくことにより、更に光の照射方向を調整することができる。
補助無影灯２０１〜２０４の点滅は、無影灯本体１０の点滅と無関係に独立して行うのが好ましく、より好ましくは、各無影灯２０１〜２０４が個別に点滅可能であることが好ましい。この無影灯の点滅操作は、例えば、無影灯本体１０の把持部又はその近傍に操作スイッチを設けておき、この操作スイッチを選択操作することにより行うようにするとよい。
【００１７】
図２は、本発明による補助無影灯２０を無影灯本体１０に装着した時の一状態を示す断面図で、図中、２１は無影灯本体１０に背面に回動不可に立設された円筒状の支柱１０’に回動不可に設けられた補助無影灯２０側の円筒状支柱で、該円筒状支柱２１は無影灯本体１０に一体的に或いは着脱自在に装着され、或いは、既存の無影灯本体１０に対して後付けにて装着される。この補助無影灯の円筒状支柱２１に対して、上アーム２２１、と下アーム２２２が、ベアリング２３１、２３２、２３３を介して回動自在に配設され、図１に関して説明したように、これらが円柱状支柱２１のまわりに回動自在に装備される。なお、２４１〜２４２は、これらベアリングを支持する座金である。
【００１８】
図３に関して説明したように、無影灯本体１０内に導入された電源線１２は、該無影灯本体内で、無影灯本体１０の光源を点滅し、更には、補助無影灯２０１〜２０４の光源（ＬＥＤ）を点滅するように点滅操作スイッチ等を介して配設された後、電源線２５１〜２５４として各補助無影灯２０１〜２０４に戻され、各補助各無影灯２０１〜２０４を点滅させるように配線されている。
【００１９】
２６１〜２６４は、円筒状支柱２１に設けられたスリットで、各アーム２２１〜２２４は、これらスリット２６１〜２６４のまわりで回動し、前述のようにして、無影灯本体１０から戻された電力線２５１〜２５４はそれぞれ、これらスリット２６１〜２６４を通して各補助無影灯２０１〜２０４に接続されている。チューブ２７１〜２７４は、各補助無影灯２０１〜２０４のアーム２２１〜２２４内に設けられた保護チューブで、各補助無影灯２０１〜２０４に対する電源線２５１〜２５４は、これら保護チューブ２７１〜２７４を通して各補助無影灯２０１〜２０４に導かれるようになっており、これにより、電源線２５１〜２５４がスリット２６１〜２６４部で破損されるのを防止するようにしている。
【００２０】
以上には、全体的なバランスを考えて補助無影灯を４個設けた例について説明したが、本発明は、図示実施例に限定されるものではなく、例えば、２０１（１個）だけでもよく、２０１と２０４を（２個）或いは２０１と２０２（２個）でもよいことは容易に理解されよう。
【符号の説明】
【００２１】
１…治療椅子、２…ワークテーブル、３…スピットン、４…術者用インスツルメントホルダ、５…アシスタントインスツルメントホルダ、６…ハンドピース、７…インスツルメントホース、８，９…無影灯支持用アーム、１０…支柱、１０…無影灯、１１…軸、１２…電源線、１３…把手、２０…補助無影灯、２１…円筒状支柱、２２…アーム、２３…ベアリング、２５…電源線、２６…スリット、２７…保護チューブ。
【図１】
2011041592.tif 000003
【図２】
2011041592.tif 000004
【図３】
2011041592.tif 000005